(57)【特許請求の範囲】
【請求項１】
フレームリレー（ＦＲ）の複数のＦＲネットワークに非同期転送モード（ＡＴＭ）のＡＴＭネットワークをバックボーンとして相互接続するためのＡＴＭ−ＦＲのＳＶＣ相互接続システムにおいて、
各前記ＦＲネットワーク内に配置され、相手選択接続（ＳＶＣ）がそれぞれ設定され、方路設定、照合がそれぞれ行われる複数のＦＲ交換機と、
ＡＴＭネットワーク内に配置され、各前記ＦＲ交換機にそれぞれ接続され、ＦＲ交換機からのＦＲパケットをＡＴＭパケット化し、ＦＲ交換機へのＡＴＭパケットをＦＲパケット化し、相手固定接続（ＰＶＣ）がそれぞれ設定され、ＰＶＣにより、ＦＲ交換機に対するＡＴＭパケットを一方のＦＲ交換機から対向するＦＲ交換機に対して中継を行う複数のＡＴＭ交換機を備え、
前記ＡＴＭ交換機の中継により、前記ＦＲ交換機によるＳＶＣセットアップのシグナリングのＡＴＭパケットをＡＴＭネットワーク内でＰＶＣにより終端させずに対向するＦＲ交換機に接続の確立を行い、接続の確立後ＳＶＣのユーザデータのＡＴＭパケットをＡＴＭネットワーク内ではＰＶＣにより終端させずに対向するＦＲ交換機に転送を行い、ユーザデータの転送後ＳＶＣのリリースシグナルのＡＴＭパケットをＡＴＭネットワーク内ではＰＶＣにより終端させずに対向するＦＲ交換機に転送しＦＲ交換機によるＳＶＣの切断を行うＡＴＭ−ＦＲのＳＶＣ相互接続システム。
【請求項２】
前記ＡＴＭ交換機では、前記ＦＲ交換機からの物理回線が対向ＦＲ交換機毎に分離されることを特徴とする、請求項１に記載のＡＴＭ−ＦＲのＳＶＣ相互接続システム。
【請求項３】
前記ＡＴＭネットワークは、バックボーンとして相互接続する前に、前記ＦＲネットワークとして使用されていた伝送路を、ＡＴＭネットワークの伝送路として、使用することを特徴とする、請求項１に記載のＡＴＭ−ＦＲのＳＶＣ相互接続システム。
【請求項４】
フレームリレー（ＦＲ）の複数のＦＲネットワークに非同期転送モード（ＡＴＭ）のＡＴＭネットワークをバックボーンとして相互接続するためのＡＴＭ−ＦＲのＳＶＣ相互接続方法において、
各前記ＦＲネットワーク内に配置される複数のＦＲ交換機に相手選択接続（ＳＶＣ）を設定して方路設定、照合をそれぞれ行う工程と、
ＡＴＭネットワーク内に配置される複数のＡＴＭ交換機に前記ＲＦ交換機をそれぞれ接続する工程と、
各前記ＡＴＭ交換機でＦＲ交換機からのＦＲパケットをＡＴＭパケット化し、ＦＲ交換機へのＡＴＭパケットをＦＲパケット化する工程と、
各前記ＡＴＭ交換機に対して相手固定接続（ＰＶＣ）を設定する工程と、
各前記ＡＴＭ交換機に設定されたＰＶＣにより、ＦＲ交換機に対するＡＴＭパケットを一方のＦＲ交換機から対向するＦＲ交換機に対して中継を行う工程と、
前記ＡＴＭ交換機の中継により、前記ＦＲ交換機によるＳＶＣセットアップのシグナリングのＡＴＭパケットをＡＴＭネットワーク内でＰＶＣにより終端させずに対向するＦＲ交換機に接続の確立を行う工程と、
接続の確立後前記ＦＲ交換機によるＳＶＣのユーザデータのＡＴＭパケットをＡＴＭネットワーク内ではＰＶＣにより終端させずに対向するＦＲ交換機に転送を行う工程と、
ユーザデータの転送後前記ＦＲ交換機によるＳＶＣのリリースシグナルのＡＴＭパケットをＡＴＭネットワーク内ではＰＶＣにより終端させずに対向するＦＲ交換機に転送しＦＲ交換機によるＳＶＣの切断を行う工程とを備えることを特徴とするＡＴＭ−ＦＲのＳＶＣ相互接続方法。
【発明の詳細な説明】
【０００１】
【産業上の利用分野】
本発明はＦＲ（フレームリレー）のネットワークにＡＴＭ（非同期転送モード）ネットワークをバックボーンとして導入する際の相互接続システムに関する。特に、本発明は、ＦＲ（ネットワーク）がＳＶＣ（相手選択接続）サービスを行っている場合のＡＴＭ−ＦＲのＳＶＣ相互接続システムに関する。
【０００２】
【従来の技術】
特開２０００−３１９８１号公報にはＡＴＭ−ＦＲの相互接続システムが記載されている。
上記ＡＴＭ−ＦＲの相互接続システムのネットワーク・インターワーキングでは、現在、ＰＶＣ（相手固定接続）サービスの仕様が固まっているが、ＳＶＣ（相手選択接続）サービスについては、これから仕様が検討される予定であり、未だ標準化が行われていない。
【０００３】
【発明が解決しょうとする課題】
このため、フレームリレー（ＦＲ）ネットワークがＳＶＣ（相手選択接続）サービスを行っている場合には、ＡＴＭネットワークをバックボーンとして導入した後に上記ＡＴＭネットワークを用いて、ＦＲ−ＳＶＣ（相手選択接続）サービスを行うことができないという問題がある。
この問題点を避けるために、新規にＡＴＭサービス用に、ＡＴＭネットワーク構築した場合、新規にＡＴＭネットワーク用に伝送路を構築することはコストを大幅に増大させるという問題がある。
【０００４】
したがって、本発明は上記問題点に鑑みて、ＡＴＭネットワークをバックボーンとして導入してもフレームリレー（ＦＲ）のネットワークのＳＶＣ（相手選択接続）サービスを可能にし、且つフレームリレーネットワーク用の既存の基幹伝送路がある場合には、新規にＡＴＭネットワーク用の基幹伝送路を構築することなくＡＴＭのバックボーン導入を可能にするＡＴＭ−ＦＲのＳＶＣ相互接続システム及び方法を提供することを目的とする。
【０００５】
【課題を解決するための手段】
本発明は前記問題点を解決するために、フレームリレー（ＦＲ）の複数のＦＲネットワークに非同期転送モード（ＡＴＭ）のＡＴＭネットワークをバックボーンとして相互接続するためのＡＴＭ−ＦＲのＳＶＣ相互接続システムにおいて、各前記ＦＲネットワーク内に配置され、相手選択接続（ＳＶＣ）がそれぞれ設定され、方路設定、照合がそれぞれ行われる複数のＦＲ交換機と、ＡＴＭネットワーク内に配置され、各前記ＦＲ交換機にそれぞれ接続され、ＦＲ交換機からのＦＲパケットをＡＴＭパケット化し、ＦＲ交換機へのＡＴＭパケットをＦＲパケット化し、相手固定接続（ＰＶＣ）がそれぞれ設定され、ＰＶＣにより、ＦＲ交換機に対するＡＴＭパケットを一方のＦＲ交換機から対向するＦＲ交換機に対して中継を行う複数のＡＴＭ交換機を備え、前記ＡＴＭ交換機の中継により、前記ＦＲ交換機によるＳＶＣセットアップのシグナリングのＡＴＭパケットをＡＴＭネットワーク内でＰＶＣにより終端させずに対向するＦＲ交換機に接続の確立を行い、接続の確立後ＳＶＣのユーザデータのＡＴＭパケットをＡＴＭネットワーク内ではＰＶＣにより終端させずに対向するＦＲ交換機に転送を行い、ユーザデータの転送後ＳＶＣのリリースシグナルのＡＴＭパケットをＡＴＭネットワーク内ではＰＶＣにより終端させずに対向するＦＲ交換機に転送しＦＲ交換機によるＳＶＣの切断を行うＡＴＭ−ＦＲのＳＶＣ相互接続システムを提供する。
【０００６】
この手段により、フレームリレーのＳＶＣセットアップ（コネクション要求）のシグナリング、ユーザデータ、リリースシグナルはＡＴＭネットワークの中で終端せず、ＡＴＭネットワーク内部のＰＶＣを用いることにより透過させられるので、ＦＲネットワークがＳＶＣサービスを行っている場合にも、ＡＴＭネットワークをバックボーンとして導入でき、ＦＲネットワーク間の高速化を行うことが可能になった。
【０００７】
前記ＡＴＭ交換機では、前記ＦＲ交換機からの物理回線が対向ＦＲ交換機毎に分離される。
好ましくは、前記ＡＴＭ交換機では、前記ＦＲ交換機からの物理回線が対向ＦＲ交換機毎に分離される。
この手段により、ＡＴＭネットワーク内でのフレームリレーのルーティングが不要になる。
好ましくは、前記ＡＴＭネットワークは、バックボーンとして相互接続する前に、前記ＦＲネットワークとして使用されていた伝送路を、ＡＴＭネットワークの伝送路として、使用する。
【０００８】
この手段により、フレームリレーの既存の基幹伝送路がある場合には、新規にＡＴＭネットワーク用に伝送路を構築する必要がなく、ＡＴＭネットワーク内にＡＴＭ交換機だけを設けることにより、ハードウエアー／ソフトウエアーの変更もなく、低コストで相互接続を実現することが可能になる。
【０００９】
さらに、本発明は、フレームリレー（ＦＲ）の複数のＦＲネットワークに非同期転送モード（ＡＴＭ）のＡＴＭネットワークをバックボーンとして相互接続するためのＡＴＭ−ＦＲのＳＶＣ相互接続方法において、各前記ＦＲネットワーク内に配置される複数のＦＲ交換機に相手選択接続（ＳＶＣ）を設定して方路設定、照合をそれぞれ行う工程と、ＡＴＭネットワーク内に配置される複数のＡＴＭ交換機に前記ＲＦ交換機をそれぞれ接続する工程と、各前記ＡＴＭ交換機でＦＲ交換機からのＦＲパケットをＡＴＭパケット化し、ＦＲ交換機へのＡＴＭパケットをＦＲパケット化する工程と、各前記ＡＴＭ交換機に対して相手固定接続（ＰＶＣ）を設定する工程と、各前記ＡＴＭ交換機に設定されたＰＶＣにより、ＦＲ交換機に対するＡＴＭパケットを一方のＦＲ交換機から対向するＦＲ交換機に対して中継を行う工程と、前記ＡＴＭ交換機の中継により、前記ＦＲ交換機によるＳＶＣセットアップのシグナリングのＡＴＭパケットをＡＴＭネットワーク内でＰＶＣにより終端させずに対向するＦＲ交換機に接続の確立を行う工程と、接続の確立後前記ＦＲ交換機によるＳＶＣのユーザデータのＡＴＭパケットをＡＴＭネットワーク内ではＰＶＣにより終端させずに対向するＦＲ交換機に転送を行う工程と、ユーザデータの転送後ＦＲ交換機によるＳＶＣのリリースシグナルのＡＴＭパケットをＡＴＭネットワーク内ではＰＶＣにより終端させずに対向するＦＲ交換機に転送しＦＲ交換機によるＳＶＣの切断を行う工程とを備えることを特徴とするＡＴＭ−ＦＲのＳＶＣ相互接続方法を提供する。
【００１０】
この手段により、上記発明と同様に、フレームリレーのＳＶＣセットアップ（コネクション要求）のシグナリング、ユーザデータ、リリースシグナルはＡＴＭネットワークの中で終端せず、ＡＴＭネットワーク内部のＰＶＣを用いることにより透過させられるので、ＦＲネットワークがＳＶＣサービスを行っている場合にも、ＡＴＭネットワークをバックボーンとして導入でき、ＦＲネットワーク間の高速化を行うことが可能になった。
【００１１】
【発明の実施の形態】
以下、本発明の実施の形態について図面を参照して説明する。
図１はＡＴＭバックボーン導入前のフレームリレーネットワークの概略構成を示す図である。
本図に示すように、ＡＴＭ（非同期転送モード）バックボーン導入前には、フレームリレー（ＦＲ）ネットワーク１０には、フレームリレー（ＦＲ）交換機１１Ａ、フレームリレー（ＦＲ）交換機１１Ｂ、フレームリレー（ＦＲ）交換機１１Ｃが設けられる。
【００１２】
ＦＲ交換機１１ＡとＦＲ交換機１１Ｂの間にはフレームリレー（ＦＲ）用基幹伝送路１２ＡＢが設けられる。
同様に、ＦＲ交換機１１ＢとＦＲ交換機１１Ｃの間にはフレームリレー（ＦＲ）用基幹伝送路１２ＢＣが設けられる。
同様に、ＦＲ交換機１１ＣとＦＲ交換機１１Ａの間にはフレームリレー（ＦＲ）用基幹伝送路１２ＣＡが設けられる。
【００１３】
図２はＡＴＭバックボーン導入後のネットワークの概略構成を示す図である。本図に示すように、図１と比較して、ＦＲネットワーク１０に代わり、ＦＲ交換機１１Ａ、ＦＲ交換機１１Ｂ、ＦＲ交換機１１Ｃの各々に対してフレームリレー（ＦＲ）ネットワーク１０Ａ、フレームリレー（ＦＲ）ネットワーク１０Ｂ、フレームリレー（ＦＲ）ネットワーク１０Ｃが設けられる。
【００１４】
さらに、ＦＲネットワーク１０Ａ、ＦＲネットワーク１０Ｂ、ＦＲネットワーク１０Ｃの間にＡＴＭ（非同期転送モード）ネットワーク２０が設けられる。
ＡＴＭネットワーク２０にはＡＴＭ交換機（非同期転送モード）２１Ａ、ＡＴＭ（非同期転送モード）交換機２１Ｂ、ＡＴＭ（非同期転送モード）交換機２１Ｃが設けられる。
【００１５】
ＦＲネットワーク１０ＡとＡＴＭネットワーク２０とがＦＲ交換機１１Ａ、ＡＴＭ交換機２１Ａを介して相互接続される。
同様に、ＦＲネットワーク１０ＢとＡＴＭネットワーク２０とがＦＲ交換機１１Ｂ、ＡＴＭ交換機２１Ｂを介して相互接続される。
同様に、ＦＲネットワーク１０ＣとＡＴＭネットワーク２０とがＦＲ交換機１１Ｃ、ＡＴＭ交換機２１Ｃを介して相互接続される。
【００１６】
ＡＴＭ交換機２１ＡとＡＴＭ交換機２１Ｂとの間にはＡＴＭ（非同期転送モード）用基幹伝送路２２ＡＢが設けられる。
同様に、ＡＴＭ交換機２１ＢとＡＴＭ交換機２１Ｃとの間にはＡＴＭ（非同期転送モード）用基幹伝送路２２ＢＣが設けられる。
同様に、ＡＴＭ交換機２１ＣとＡＴＭ交換機２１Ａとの間にはＡＴＭ（非同期転送モード）用基幹伝送路２２ＣＡが設けられる。
【００１７】
ＡＴＭ用基幹伝送路２２ＡＢ、ＡＴＭ用基幹伝送路２２ＢＣ、ＡＴＭ用基幹伝送路２２ＣＡには図１のＦＲ用基幹伝送路１２ＡＢ、ＦＲ用基幹伝送路１２ＢＣ、ＦＲ用基幹伝送路１２ＣＡが使用される。
このように、既にＦＲネットワーク１０を持っている通信事業者は、ＦＲネットワーク１０のＦＲ用基幹伝送路１２ＡＢ、ＦＲ用基幹伝送路１２ＢＣ、ＦＲ用基幹伝送路１２ＣＡを利用して、ＡＴＭネットワーク２０用に新たに伝送路を構築することなく、ＡＴＭ交換機２１Ａ、ＡＴＭ交換機２１Ｂ、ＡＴＭ交換機２１Ｃを採用するだけで、既存のＦＲ用基幹伝送路１２ＡＢ、ＦＲ用基幹伝送路１２ＢＣ、ＦＲ用基幹伝送路１２ＣＡをＡＴＭ用基幹伝送路２２ＡＢ、ＡＴＭ用基幹伝送路２２ＢＣ、ＡＴＭ用基幹伝送路２２ＣＡに置き換えることが可能になる。
【００１８】
これにより、ＡＴＭネットワーク２０にＦＲばかりでなく、様々なトラフィックを統合することが可能になる。
さらに、ＡＴＭネットワーク内にＡＴＭ交換機だけを設けることにより、低コストで相互接続を実現することが可能になる。
図３はＡＴＭ−ＦＲのＳＶＣ相互接続を説明する図である。本図（ａ）に示すように、ネットワーク管理者により、ＦＲネットワーク１０Ａ、１０Ｂ、１０ＣのＦＲ交換機１１Ａ、１１Ｂ、１１Ｃの各々にはＳＶＣ（相手選択接続）のサービスが設定され、ＡＴＭネットワーク内を透過的に、扱うために、ＡＴＭネットワーク２０のＡＴＭ交換機２１Ａ、２１Ｂ、２１Ｃの各々にはＰＶＣ（相手固定接続）のサービスが設定される。
なお、ＳＶＣ（相手選択接続）はシグナル手順を用いて相手を選択しながら接続を行うことをいい、ＰＶＣ（相手固定接続）は通信の有無に関係なく固定的に接続を行うことをいう。
【００１９】
ＦＲ交換機１１Ａ、１１Ｂ、１１ＣとＡＴＭ交換機２１Ａ、２１Ｂ、２１Ｃとの間には、伝送路１３ＡＡ、１３ＢＢ、１３ＣＣで接続され、伝送路１３ＡＡ、１３ＢＢ、１３ＣＣの物理回線の各々は対向するＦＲネットワークのＦＲ交換機に対するＶＰ（仮想パス）が設けられる。例えば、伝送路１３ＡＡの物理回線にはＦＲ交換機１１ｂ、１１ｃへのＶＰが設けられる。
本図（ｂ）に示すようにＡＴＭ交換機２１Ａ、２１Ｂ、２１Ｃでは、伝送路１３ＡＡ、１３ＢＢ、１３ＣＣの物理回線の各々は、対向するＦＲネットワークのＦＲ交換機に分離される。
【００２０】
ＦＲ交換機１１Ａ、１１Ｂ、１１Ｃの各々では、方路選択（以下、ルーティングという）が行われる一方、ＡＴＭ交換機２１Ａ、２１Ｂ、２１Ｃでは分離された物理回線毎に方路が固定されているので、ＡＴＭネットワーク２０内でのフレームリレー（ＦＲ）のルーティングは行われない。
【００２１】
ＡＴＭネットワーク２０に流れてきた、フレームリレー（ＦＲ）のＳＶＣ（相手選択接続）セットアップ（コネクション要求）のシグナリングはＡＴＭネットワーク２０の中で終端せず、ＡＴＭネットワーク２０内部のＰＶＣ（相手固定接続）を用いることにより透過させられる。
これにより、上記のシグナリングは、対向のＦＲネットワーク１０Ａ、１０Ｂ、１０Ｃの各々に中継され、コネクションを確立させる。
【００２２】
その後、シグナリングに用いたＰＶＣ（相手固定接続）を使用し、ＦＲ−Ｆｏｒｕｍ５．０（Ｆｒａｍｅ  Ｒｅｌａｙ／ＡＴＭｎｅｔｗｏｒｋ  ｉｎｔｅｒｗｏｒｋｉｎｇ［ＤＬＣＩ（データリングコネクション識別子）をユーザデータと共に転送］）に従いユーザデータが転送される。
データ転送が終了後、ＡＴＭネットワーク２０内のＰＶＣ（相手固定接続）を用いて、ＦＲ−ＳＶＣ（相手選択接続）のリリース（呼切断）シグナリングを透過させることにより、ＦＲ−ＳＶＣ（相手選択接続）が切断される。
【００２３】
図４はフレームリレー（ＦＲ）のシグナリングの転送、ＳＶＣ（相手選択接続）の確立、ユーザデータの転送を説明する図である。
本図に示すように、ＦＲ交換機１１Ａ、１１Ｂ、１１Ｃ、ＡＴＭ交換機２１Ａ、２１Ｂ、２１Ｃの各々には、回線を切り替えるスイッチ３１、３２…、スイッチの前後に回線収容部４１、４２…、スイッチを制御する制御部５１、５２…が設けられる。
【００２４】
まず、ネットワーク管理者である通信事業者は、一例として、ＡＴＭ交換機２１Ａの回線収容部４３からＡＴＭ交換機２１Ｃの回線収容部４６に対して、フレームリレー（ＦＲ）／ＡＴＭ（非同期転送モード）相互接続によるＰＶＣ（相手固定接続）を設定する。
ＦＲ交換機１１Ａの回線収容部４１は、配下（接続されている）にいる装置によりＦＲ交換機１１Ｃの回線収容部４８の配下にいる装置に対するセットアップ（呼接続要求）のシグナリングを受け取る。
【００２５】
ＦＲ交換機１１Ａは、受け取ったシグナリング情報と制御部５１に蓄積されているルーティングテーブルを照らし合わせる。
ＦＲ交換機１１Ａは、ルーティング情報に従い、セットアップのシグナリングを回線収容部４２に転送し、ＡＴＭ交換機２１Ａに対して送信する。
ＦＲ交換機１１Ａからフレームリレー（ＦＲ）のシグナリングを受け取ったＡＴＭ交換機２１Ａの回線収容部４３は、セットアップシグナリングのフレームリレー（ＦＲ）パケットをＡＴＭセル化し、回線収容部４４に転送し、上記で設定したＡＴＭ−ＰＶＣを用いて、ＡＴＭ交換機２１Ｃに対して、透過的にフレームリレー（ＦＲ）シグナリングを転送させる。
【００２６】
ＡＴＭ−ＰＶＣにて転送されてきたＦＲシグナリングを受け取ったＡＴＭ交換機２１Ｃの回線収容部４５は、ＰＶＣにより回線収容部４６に対し、スイッチ３３をスイッチングし、回線収容部４６にてＡＴＭヘッダーを取り除き、ＦＲパケットにてシグナリングをＦＲ交換機１１Ｃに対し送信する。
ＡＴＭ交換機２１Ｃにより、ＦＲ交換機１１Ｃの回線収容部４７はセットアップのＦＲシグナリングを受け取る。
【００２７】
ＦＲ交換機１１Ｃは、受け取ったシグナリング情報と制御部５４に蓄積されたルーティングテーブルを照らし合わせる。
ＦＲ交換機１１Ｃは、ルーティング情報に従い、受け取ったシグナリング情報を回線収容部４８に転送し、配下の装置に対して送信する。
次に、上記にて転送したシグナリングに従い、ＦＲ交換機１１Ａは制御部５１にて、ＦＲ交換機１１Ｃは制御部５４にてＳＶＣ（相手選択接続）を確立する。
【００２８】
ＦＲ交換機１１Ａの回線収容部４１は、配下の装置よりフレームリレー（ＦＲ）ユーザデータを受け取り、ＤＬＣＩ（データリングコネクション識別子）を確認し、対応ＳＶＣを用いて、回線収容部４２に対して送信する。
ＦＲユーザデータを受け取ったＦＲ交換機１１Ａの回線収容部４２は、ＦＲユーザデータをＡＴＭ交換機２１Ａに対して送信する。
【００２９】
ＦＲパケットにてＦＲユーザデータを受け取ったＡＴＭ交換機２１Ａの回線収容部４３は、ＦＲパケットをＡＴＭセル化し、ＰＶＣにより、ＡＴＭ交換機２１Ｃに対して転送する。
ＡＴＭ−ＰＶＣにて転送されてきたＦＲユーザデータを受け取ったＡＴＭ交換機２１Ｃは、ＰＶＣにより回線収容部４６に対し転送し、回線収容部４６にてＡＴＭヘッダーを取り除き、ＦＲパケット化し、ユーザデータをＦＲ交換機１１Ｃに対し送信する。
【００３０】
ＦＲ交換機１１Ｃの回線収容部４７はＦＲ交換機１１ＣよりＦＲユーザデータを受け取り、ＤＬＣＩを確認し、対応ＳＶＣを用いて、回線収容部４８に対して送信する。
ＦＲユーザデータを受け取った回線収容部４８は、配下の装置に対して送信する。
【００３１】
次に、上記と逆のシグナリングの流れにより、受信サイドから送信サイド、又は送信サイドから送信サイドに対してリリースのシグナリングを転送し、ＦＲネットワーク１０Ａ、１０Ｂ、１０Ｃ内でのＳＶＣを切断する。
このように、従来のＦＲ交換機、ＡＴＭ交換機をそのまま使用でき、ハードウエアー／ソフトウエアーの変更もなく、相互接続が可能になる。
【００３２】
【発明の効果】
以上説明したように、本発明によれば、ＦＲネットワーク内に配置されるＦＲ交換機に相手選択接続（ＳＶＣ）が設定され、ＡＴＭネットワーク内に配置されるＡＴＭ交換機に相手固定接続（ＰＶＣ）が設定され、ＰＶＣにより、ＦＲ交換機の相手固定接続（ＰＶＣ）セットアップのシグナリングをＡＴＭネットワーク内では終端させずに対向するＦＲ交換機に中継し、接続を確立するようにしたので、フレームリレーのＳＶＣセットアップ（コネクション要求）のシグナリングはＡＴＭネットワークの中で終端せず、ＡＴＭネットワーク内部のＰＶＣを用いることにより透過させられるので、ＦＲネットワークが相手選択接続（ＳＶＣ）サービスを行っている場合にも、ＡＴＭネットワークをバックボーンとして導入でき、高速化を行うことが可能になった。
【００３３】
また、ＡＴＭネットワークは、バックボーンとして相互接続する前にＦＲネットワークとして使用されていた伝送路を、ＡＴＭネットワークの伝送路として、使用するので、フレームリレーの既存の基幹伝送路がある場合には、新規にＡＴＭネットワーク用に伝送路を構築する必要がなく、ＡＴＭネットワーク内にＡＴＭ交換機だけを設けることにより、ハードウエアー／ソフトウエアーの変更もなく、低コストで相互接続を実現することが可能になる。
【図面の簡単な説明】
【図１】ＡＴＭバックボーン導入前のフレームリレーネットワークの概略構成を示す図である。
【図２】ＡＴＭバックボーン導入後のネットワークの概略構成を示す図である。
【図３】ＡＴＭ−ＦＲのＳＶＣ相互接続を説明する図である。
【図４】フレームリレー（ＦＲ）のシグナリングの転送、ＳＶＣ（相手選択接続）の確立、ユーザデータの転送を説明する図である。
【符号の説明】
１０、１０Ａ、１０Ｂ、１０Ｃ…ＦＲネットワーク
１１Ａ、Ｂ、Ｃ…ＦＲ交換機
１２ＡＢ、１２ＢＣ、１２ＣＡ…ＦＲ用基幹伝送路
１３ＡＡ、１３ＢＢ、１３ＣＣ…伝送路
２０…ＡＴＭネットワーク
２１Ａ、Ｂ、Ｃ…ＡＴＭ交換機
２２ＡＢ、２２ＢＣ、２２ＣＡ…ＡＴＭ用基幹伝送路
３１〜３４…スイッチ
４１〜４８…回線収容部
５１〜５４…制御部
【図１】
0003543732.tif 000002
【図２】
0003543732.tif 000003
【図３】
0003543732.tif 000004
【図４】
0003543732.tif 000005